(57)【要約】      （修正有）【課題】多種多様な表示を可能としつつ、取扱い性にも優れたゴルフクラブ用ヘッドカバーを提供する。【解決手段】ゴルフクラブ１０のクラブヘッド１１に装着するゴルフクラブ用ヘッドカバーであって、カバー本体２と、カバー本体２の少なくとも一部を包み込む透視シート４とを備えており、カバー本体２と透視シート４との間に、シート材６を挟み込めるようにし、外部からシート材６の表示を視認可能にした。この構成では、透視シート４は、カバー本体２の少なくとも一部を包み込むので、広範囲にシート材６を挟み込むことができ、挟み込むシート材６の大きさの許容範囲も大きくなる。さらに、カバー本体２と透視シート４との間にシート材６を挟み込めるので、シート材６の交換が可能になり、かつ交換作業が容易になる。【選択図】図２
0003192725.tif 000002
【実用新案登録請求の範囲】
【請求項１】
ゴルフクラブのクラブヘッドに装着するゴルフクラブ用ヘッドカバーであって、
カバー本体と、
前記カバー本体の少なくとも一部を包み込む透視シートとを備えており、
前記カバー本体と前記透視シートとの間に、シート材を挟み込めるようにし、
外部から前記シート材の表示を視認可能にしたことを特徴とするゴルフクラブ用ヘッドカバー。
【請求項２】
前記透視シートに、折り返し部が形成されており、前記折り返し部に前記シート材の端部を差し込み可能である請求項１に記載のゴルフクラブ用ヘッドカバー。
【請求項３】
前記カバー本体は略円筒形であり、前記透視シートは略長方形であり、前記透視シートは前記カバー本体の側面を包み込んでいる請求項１又は２に記載のゴルフクラブ用ヘッドカバー。
【請求項４】
前記透視シートは、着脱可能である請求項１から３のいずれかに記載のゴルフクラブ用ヘッドカバー。
【請求項５】
前記透視シートは、両端部に取り付けた面ファスナで、前記カバー本体に固定される請求項１から４のいずれかに記載のゴルフクラブ用ヘッドカバー。
【請求項６】
前記シート材の表示は、広告宣伝に関する表示である請求項１から５のいずれかに記載のゴルフクラブ用ヘッドカバー。
【考案の詳細な説明】
【技術分野】
【０００１】
本考案は、各種表示を可能にしたゴルフクラブ用ヘッドカバーに関する。
【背景技術】
【０００２】
ゴルフクラブは保管時や運搬時には、通常、クラブヘッドにヘッドカバーが装着される。ヘッドカバーは、クラブヘッドの保護を図るものであるが、ヘッドカバーに表示手段を付加したものも提案されている。例えば、下記特許文献１には、ヘッドカバーの一部に名札入れを設け、ヘッドカバーの所有者を確認し易くしたものが提案されている。下記特許文献２には、カバーの外側に装着したクラブの種類番号を容易に取り替えることができるゴルフクラブ用ヘッドカバーが提案されている。
【先行技術文献】
【特許文献】
【０００３】
【特許文献１】特開２００７−３３０７２５号公報
【特許文献２】実開昭４８−７３０７５号公報
【考案の概要】
【考案が解決しようとする課題】
【０００４】
しかしながら、前記特許文献１、２に開示されたヘッドカバーは、表示手段が付加されているが、用途及び表示範囲が限定されたものであり、識別の便宜のための表示手段に止まり、多種多様な表示を意図したものではなかった。
【０００５】
本考案は、前記のような従来の問題を解決するものであり、多種多様な表示を可能にしつつ、取扱い性にも優れたゴルフクラブ用ヘッドカバーを提供することを目的とする。
【課題を解決するための手段】
【０００６】
前記目的を達成するために、本考案のゴルフクラブ用ヘッドカバーは、ゴルフクラブのクラブヘッドに装着するゴルフクラブ用ヘッドカバーであって、カバー本体と、前記カバー本体の少なくとも一部を包み込む透視シートとを備えており、前記カバー本体と前記透視シートとの間に、シート材を挟み込めるようにし、外部から前記シート材の表示を視認可能にしたことを特徴とする。この構成によれば、ヘッドカバーの外部から、シート材の表示が視認可能になる。そして、透視シートは、カバー本体の少なくとも一部を包み込むので、広範囲にシート材を挟み込むことができ、挟み込むシート材の大きさの許容範囲も大きくなる。さらに、カバー本体と透視シートとの間にシート材を挟み込めるので、シート材の交換が可能になり、かつ交換作業が容易になる。すなわち、本考案によれば、表示範囲が広く多種多様な表示が可能になるとともに、取扱い性にも優れている。
【０００７】
前記本考案のゴルフクラブ用ヘッドカバーにおいては、次の各構成とすることが好ましい。前記透視シートに、折り返し部が形成されており、前記折り返し部に前記シート材の端部を差し込み可能であることが好ましい。この構成によれば、折り返し部を設けたことにより、シート材を透視シートに位置合わせすることが容易になる。加えて、シート材を透視シートに位置合わせした状態で、透視シートのカバー本体への取り付け作業を行うことができ、取り付け作業が容易になる。
【０００８】
前記カバー本体は略円筒形であり、前記透視シートは略長方形であり、前記透視シートは前記カバー本体の側面を包み込んでいることが好ましい。この構成によれば、透視シートは略長方形状であり製作が容易になるとともに、面積の広い円筒形の側面を、表示が付されたシート材の配置面として活用できるので、視認効果が高まる。
【０００９】
前記透視シートは、着脱可能であることが好ましい。この構成によれば、シート材の交換が容易になる。
【００１０】
前記透視シートは、両端部に取り付けた面ファスナで、前記カバー本体に固定されることが好ましい。この構成によれば、カバー本体の加工が不要になり製作が容易になるとともに、透視シートの安定した着脱が可能になる。
【００１１】
前記シート材の表示は、広告宣伝に関する表示であることが好ましい。本考案は、広範囲にシート材を挟み込むことができるので、視認性が重要になる広告宣伝に関する表示に適している。
【考案の効果】
【００１２】
本考案によれば、ヘッドカバーの外部から、シート材の表示が視認可能になる上、透視シートは、カバー本体の少なくとも一部を包み込むので、広範囲にシート材を挟み込むことができ、挟み込むシート材の大きさの許容範囲も大きくなる。さらに、カバー本体と透視シートとの間にシート材を挟み込めるので、シート材の交換が可能になり、かつ交換作業が容易になる。すなわち、本考案によれば、表示範囲が広く多種多様な表示が可能になるとともに、取扱い性にも優れている。
【図面の簡単な説明】
【００１３】
【図１】本考案の一実施形態に係るゴルフクラブ用ヘッドカバーの外観斜視図。
【図２】本考案の一実施形態に係るゴルフクラブ用ヘッドカバーをゴルフクラブに装着する前の状態を示す斜視図。
【図３】本考案の一実施形態において、カバー本体に、透視シート及びシート材を装着する前の状態を示す斜視図。
【図４】本考案の一実施形態において、カバー本体への透視シートの装着完了の直前の状態を示す斜視図。
【図５】本考案の一実施形態において、透視シートにシート材を位置合わせする状態を示す斜視図。
【図６】図５のＡＡ線における断面図。
【考案を実施するための形態】
【００１４】
以下、本考案の一実施形態について、図面を参照しながら説明する。図１は、本考案の一実施形態に係るゴルフクラブ用ヘッドカバー（以下、「ヘッドカバー」という。）１の外観斜視図である。図２は、本考案の一実施形態に係るヘッドカバー１をゴルフクラブ１０に装着する前の状態を示す斜視図である。ヘッドカバー１は、図２に示したゴルフクラブ１０のクラブヘッド１１に装着して用いるものである。図２に示したクラブヘッド１１の形状は一例であり、他の形状であってもよい。
【００１５】
図１において、ヘッドカバー１は、カバー本体２とシャフトカバー３で構成されている。ヘッドカバー１をゴルフクラブ１０に装着した際には、カバー本体２内には図２に示したクラブヘッド１１が収納され、シャフトカバー３内には図２に示したシャフト１２の一部が収納される。ヘッドカバー１には、カバー本体２を包み込む透視シート４が取り付けられている。カバー本体２と透視シート４との間には、シート材６が挟み込まれている。シート材６には表示５が付されており、ヘッドカバー１の外部から、シート材６の表示５が視認可能になる。
【００１６】
図示の便宜のため、表示５は実線で表しているが、表示５は透視シート４の内側にある。透視シート４の透視の程度は、外部からシート材６の表示５が視認できればよく、透明に限らず半透明でもよい。シート材６は、湾曲が容易なものであればよく、素材は例えば、紙、樹脂、布である。透視シート４及びシート材６の取り付けの詳細は、後に図３〜６を参照しながら説明する。
【００１７】
ヘッドカバー１は、外部からシート材６の表示５が視認可能であるので、ヘッドカバー１は、ゴルフクラブ１０のクラブヘッド１１の保護のみならず、表示５の内容に応じた使用が可能になる。例えば表示５を広告や企業アイコン等にすれば、広告宣伝ツールとして使用でき、氏名やゴルフクラブ１０の型名等にすれば、識別手段として使用できる。また、各種図柄とすることにより、美的効果を発揮でき、好みの風景、動物の写真等とすることにより、使用者の好みに応じたカスタマイズが可能になる。
【００１８】
また、透視シート４は、カバー本体２を包み込むように形成されているので、挟み込むシート材６も大きなものとすることができる。このため、広範囲にシート材を挟み込むことができ、挟み込むシート材の大きさの許容範囲も大きくなる。このことから、本実施形態は、例えば視認性が重要になる広告宣伝に関する表示に適している。
【００１９】
本実施形態では、カバー本体２は略円筒形であり、透視シート４はカバー本体２の外周側面を包み込んでいる。包み込む範囲は外周側面の一部でもよく、全周でもよい。少なくとも一部を包み込んでいれば、図１に示したように、正面全体に表示５を配置することができ、全周を包み込むようにすれば、カバー本体２の全周に亘り表示５を配置することができる。
【００２０】
図３は、カバー本体２に、透視シート４及びシート材６を装着する前の状態を示す斜視図である。まず透視シート４の内側にシート材６を配置する。続いて、透視シート４及びシート材６でカバー本体２を包み込む。
【００２１】
図４は、カバー本体２への透視シート４の装着完了の直前の状態を示す斜視図である。カバー本体２には、帯状の面ファスナ８が固定されている。この面ファスナ８に、透視シート４に固定された面ファスナ７が貼り付けられて、透視シート４がカバー本体２に固定される。図４の状態では、透視シート４の一端がカバー本体２へ固定されている。この状態から透視シート４の他端の面ファスナ７を面ファスナ８に貼り付ければ、透視シート４の取り付けが完了する。
【００２２】
透視シート４の取り付けに面ファスナを用いることにより、カバー本体２の加工が不要になり製作が容易になるとともに、透視シート４の安定した着脱が可能になる。一方、透視シート４の取り付けは、これに限るものではない。例えば、取り付けに磁石を用いてもよく、衣類等に用いるファスナやボタンを用いてもよい。また、透視シート４及びカバー本体２の一方にフックを設け、他方に穴を設け、フックを穴に引っ掛けるようにしてもよい。
【００２３】
図５は、透視シート４にシート材６を位置合わせする状態を示す斜視図を示している。図５に示した透視シート４は、折り返し部９を形成しており、折り返し部９にシート材６の端部を差し込むことが可能である。図６は図５のＡＡ線における断面図であり、折り返し部９にシート材６を差し込んだ状態を示している。折り返し部９を設けたことにより、シート材６を透視シート４に位置合わせすることが容易になる。加えて、シート材６を透視シート４に位置合わせした状態で、透視シート４のカバー本体２への取り付け作業を行うことができ、取り付け作業が容易になる。
【００２４】
以上、透視シート４をカバー本体２へ取り付ける過程を説明したが、図４の構成では透視シート４をカバー本体２から取り外すことも可能であり、透視シート４は着脱可能である。このことにより、シート材６の交換が容易になる。一方、透視シート４は着脱できなくてもよい。この構成であっても、カバー本体２と透視シート４との間の隙間１３（図１）により、シート材６の抜き差しが可能になり、シート材６の交換が容易である。
【００２５】
本実施形態では、シート材６の交換が容易であるので、ヘッドカバー１の使用態様の変更も容易になる。シート材６は別途用意したものに交換してもよいが、透視シート４とカバー本体２との間に、あらかじめ複数枚のシート材６を挟んでおき、最も上側（透視シート４側）のシート材６を変更して使用態様を変更してもよい。
【００２６】
本実施形態のように、カバー本体２が円筒形の場合は、図２〜図５に示したように、透視シート４は略長方形状にすることができ、製作が容易になる。加えて、面積の広い円筒形の側面を、表示５が付されたシート材６の配置面として活用できるので、視認効果が高まる。
【００２７】
また、本実施形態では、透視シート４が略円筒形のカバー本体２の側面を覆う例を示したが、側面に加え上面を覆うようにしてもよい。この場合、透視シート４は例えば下部が開放した略円筒形として、カバー本体２の上面に被せればよい。
【００２８】
また、本実施形態では、カバー本体２が略円筒形の例で説明したが、これに限るものではない。例えばカバー本体２が、クラブヘッド１１の形状に沿った略Ｌ字形状に形成されたものであってもよい。この場合、カバー本体２における平らな表面を選んで透視シート４を包み込むようにすれば、略円筒形の場合と同様に、シート材６を透視シート４とカバー本体２との間に挟み込むことができる。すなわち、本考案のヘッドカバーは様々な形状のものに対応可能である。
【符号の説明】
【００２９】
１  ヘッドカバー
２  カバー本体
３  シャフトカバー
４  透視シート
５  表示
６  シート材
７，８  面ファスナ
９  折り返し部
１０  ゴルフクラブ
１１  クラブヘッド
１２  シャフト
１３  カバー本体と透視シートとの間の隙間
【図１】
0003192725.tif 000003
【図２】
0003192725.tif 000004
【図３】
0003192725.tif 000005
【図４】
0003192725.tif 000006
【図５】
0003192725.tif 000007
【図６】
0003192725.tif 000008